(57)【要約】【課題】耐衝撃性が強く、耐久性が高いアンテナを提供する。【解決手段】アンテナエレメント５を覆う硬質の合成樹脂で構成されたカバー３を備えたアンテナ１において、前記カバー３の内側には、前記カバー３を構成する合成樹脂より軟質の合成樹脂によって構成された円筒形のジョイント４が設けられ、前記ジョイント４が携帯無線機の筐体に挿入されることによって携帯無線機の筐体に取り付けられることを特徴とする。【選択図】  図２
2005268863.tif 000002
【特許請求の範囲】
【請求項１】
アンテナエレメントを覆う硬質の合成樹脂で構成されたカバーを備えたアンテナにおいて、
前記カバーの内側には、前記カバーを構成する合成樹脂より軟質の合成樹脂によって構成された円筒形のジョイントが設けられ、
前記ジョイントが携帯無線機の筐体に挿入されることによって携帯無線機の筐体に取り付けられるアンテナ。
【請求項２】
前記ジョイントの下部の略３分の１乃至略３分の２は前記カバーの下部から露出している請求項１に記載のアンテナ。
【請求項３】
前記ジョイントは先端の厚みが薄い円筒形である請求項１又は２に記載のアンテナ。
【請求項４】
前記ジョイントを構成する合成樹脂は曲げ強度が１０ＭＰａ以下であって、前記カバーを構成する合成樹脂は曲げ強度が２０ＭＰａより大きい請求項１から３のいずれか一つに記載のアンテナ。
【請求項５】
前記ジョイントの内部には金属製の接続金具が設けられる請求項１から４のいずれか一つに記載のアンテナ。
【発明の詳細な説明】
【技術分野】
【０００１】
本発明はアンテナに関し、特に、携帯無線機に突出して取り付けられるアンテナの構造に関する。
【背景技術】
【０００２】
従来、携帯無線機は筐体１の外部又は内部にアンテナを設け、アンテナから電波を放射し、アンテナにより電波を捕捉して送受信を行っていた。特に、携帯電話機では、図３に示すように、携帯電話機の筐体１の上部から突出するアンテナ２を備えている。そして、アンテナのカバーは同一の絶縁材料で覆われている（例えば、特許文献１参照。）。
【特許文献１】特開２００２−３５９５１４号公報
【発明の開示】
【発明が解決しようとする課題】
【０００３】
携帯電話機は持ち運ばれて使用されるものであり、使用時に落下され、強い衝撃を受ける可能性がある。前述した携帯電話機では、携帯電話機の筐体１の上部からアンテナ２が突出しているので、落下衝撃によってアンテナ２が破損する問題があった。
【０００４】
本発明は、耐衝撃性が強く、耐久性が高いアンテナを提供することを目的とする。
【課題を解決するための手段】
【０００５】
第１の発明は、アンテナエレメントを覆う硬質の合成樹脂で構成されたカバーを備えたアンテナにおいて、前記カバーの内側には、前記カバーを構成する合成樹脂より軟質の合成樹脂によって構成された円筒形のジョイントが設けられ、前記ジョイントが携帯無線機の筐体に挿入されることによって携帯無線機の筐体に取り付けられることを特徴とする。
【０００６】
第２の発明は、前記ジョイントの下部の略３分の１乃至略３分の２は前記カバーの下部から露出していることを特徴とする。
【０００７】
第３の発明は、前記ジョイントは先端の厚みが薄い円筒形であることを特徴とする。
【０００８】
第４の発明は、前記ジョイントを構成する合成樹脂は曲げ強度が１０ＭＰａ以下であって、前記カバーを構成する合成樹脂は曲げ強度が２０ＭＰａより大きいことを特徴とする。
【０００９】
第５の発明は、前記ジョイントの内部には金属製の接続金具が設けられることを特徴とする。
【発明の効果】
【００１０】
本発明では、アンテナエレメントを覆う硬質の合成樹脂で構成されたカバーを備えたアンテナにおいて、前記カバーの内側には、前記カバーを構成する合成樹脂より軟質の合成樹脂によって構成された円筒形のジョイントが設けられ、前記ジョイントが携帯無線機の筐体に挿入されることによって携帯無線機の筐体に取り付けられるので、携帯無線機の筐体の上部から突出して取り付けられたアンテナが横方向から強い衝撃を受けたときにも破損し難くなる。
【００１１】
また、前記ジョイントの下部の略３分の１乃至略３分の２は、前記カバーの下部から露出しているので、このジョイントの下部のカバーに覆われていない部分によってアンテナの低い剛性を保つことができる。
【発明を実施するための最良の形態】
【００１２】
次に、本発明の実施の形態について図面を参照して説明する。
【００１３】
図１は、本発明の実施の形態のアンテナの側面図である。
【００１４】
本発明の実施の形態のアンテナ２には、合成樹脂製の中空のカバー３が設けられており、エレメント５はカバー３によって覆われている。カバー３の下部内側には合成樹脂製のジョイント４が設けられている。ジョイント４の下部には取付金具６が設けられている。
【００１５】
カバー３は硬質の合成樹脂（例えば、ＡＢＳ樹脂）で構成されており、剛性が高い。また、ジョイント４は軟質の合成樹脂（例えば、エラストマ樹脂）で構成されており、剛性が低い。このため、アンテナ２に横方向から応力が加わったとしても、軟質の合成樹脂で構成されたジョイント４が変形し、硬質の合成樹脂で構成されたカバー３に強い力が加わって破損し難くなっている。
【００１６】
エレメント５はカバー３内に収容されており、導線がコイル状に巻かれたコイルエレメントである。なお、エレメント５はコイルエレメントではなく、誘電体の表面に導体を形成したチップ型のアンテナエレメントであってもよい。
【００１７】
取付金具６は、アンテナ２内でエレメント５と電気的に接続されている。取付金具６は携帯電話機の筐体１（筐体表面を破線で示す）内に挿入され、取付金具６に設けられた取付穴によって携帯電話機に固定される。また、取付金具６は携帯電話機１内に設けられた送受信回路と電気的に接続されており、アンテナ２に高周波信号を供給している。
【００１８】
図２は、本発明の実施の形態のアンテナの断面図である。
【００１９】
前述したようにカバー３の下部内側にはジョイント４が設けられている。ジョイント４は先端の厚みが薄い円筒形をしており、剛性が高くならないようにしている。また、ジョイント４の先端は細径となっており、アンテナの外形に影響を与えることなくカバー３とジョイント４との強度を保つことができる。また、ジョイント４の下部の一部（望ましくは、略３分の１から略３分の２）はカバー３に覆われていない。このジョイント４の下部の露出部によって、アンテナ２の低い剛性が維持されている。
【００２０】
ジョイント４の下部に設けられる取付金具６の上部は太径になっており、ジョイント４の成形後に、取付金具６がジョイント４から脱落しないようになっている。
【００２１】
このアンテナ２は、取付金具６の上部周囲に軟質の合成樹脂によってジョイント４を成型し、その後、ジョイント４の周囲に硬質の合成樹脂によってカバー３を成型して構成される。例えば、ジョイント４を構成する軟質の合成樹脂には曲げ強度が４ＭＰａ程度のエラストマ合成樹脂を用い、カバー３を構成する硬質の合成樹脂には曲げ強度が６０ＭＰａ程度のＡＢＳ合成樹脂を用いるとよい。すなわち、ジョイント４は曲げ強度が１０ＭＰａ以下の合成樹脂を用い、カバー３は曲げ強度が２０ＭＰａより大きい合成樹脂を用いれば、アンテナカバーの強度を確保しつつ、本発明の効果を奏することができる。
【００２２】
本発明の実施の形態は携帯無線機に取り付けられるヘリカルアンテナについて説明したが、本発明は、例えば、特開２００３−２３３１４号公報に記載されるような、携帯無線機から引き出し、収納可能なホイップアンテナの先端に取り付けられるヘリカルアンテナにも適用することができる。
【００２３】
以上説明したように本発明の実施の形態では、カバー３を硬質の合成樹脂で高い剛性に構成し、カバー３の内部に設けられ携帯無線機１に係合するジョイント４は軟質の合成樹脂で低い剛性で構成したので、アンテナ２に横方向から強い衝撃を受けたとしても、剛性が低いジョイント４が変形することによって、剛性の高い合成樹脂のカバー３が破損し難くなる。
【図面の簡単な説明】
【００２４】
【図１】本発明の実施の形態のアンテナの側面図である。
【図２】本発明の実施の形態のアンテナの断面図である。
【図３】本発明に係るアンテナが適用される携帯無線機の斜視図である。
【符号の説明】
【００２５】
１  携帯無線機（筐体）
２  アンテナ
３  カバー
４  ジョイント
５  コイルエレメント
６  金具
【図１】
2005268863.tif 000003
【図２】
2005268863.tif 000004
【図３】
2005268863.tif 000005